【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
駆動パルスが印加されることによりインクを吐出するためのエネルギーを生成する複数の記録素子が所定方向に配列された記録素子列と、前記記録素子の近傍のインクの温度を検出するための検出素子と、を有する記録ヘッドと、
前記記録素子列内の前記複数の記録素子のうち、記録に使用する記録素子の数に関する情報を取得する第１の取得手段と、
前記第１の取得手段によって取得された前記情報が示す記録素子の数に基づいて、記憶手段に記憶されたそれぞれ駆動パルスと温度との対応関係が定められた複数の駆動パルステーブルの中から１つの駆動パルステーブルを選択する第１の選択手段と、
前記検出素子によって検出された温度に関する情報を取得する第２の取得手段と、
前記第２の取得手段によって取得された前記情報が示す温度に基づいて、前記第１の選択手段によって選択された前記駆動パルステーブルを構成する前記複数の駆動パルスの中から１つの駆動パルスを選択する第２の選択手段と、
前記第２の選択手段によって選択された前記駆動パルスを前記複数の記録素子に印加するように制御することにより、記録媒体上に記録を行う記録制御手段と、を有することを特徴とするインクジェット記録装置。
【請求項２】
前記複数の駆動パルステーブルは、それぞれメインパルスと、当該メインパルスに先立って前記記録素子に印加されるプレパルスと、を含む複数の駆動パルスであって、前記プレパルスのパルス幅が互いに異なる前記複数の駆動パルスを規定する第１の駆動パルステーブルを少なくとも含み、
前記第２の選択手段は、前記第１の選択手段によって前記第１の駆動パルステーブルが選択された場合、（ｉ）前記第２の取得手段によって取得された前記情報が示す温度が第１の温度である場合には前記第１の駆動パルステーブルを構成する前記複数の駆動パルスのうちの第１の駆動パルスを選択し、（ｉｉ）前記第２の取得手段によって取得された前記情報が示す温度が前記第１の温度よりも高い第２の温度である場合には前記第１の駆動パルステーブルを構成する前記複数の駆動パルスのうちの前記第１の駆動パルスよりもプレパルスのパルス幅が短い第２の駆動パルスを選択することを特徴とする請求項１に記載のインクジェット記録装置。
【請求項３】
前記複数の駆動パルステーブルは、それぞれメインパルスと、当該メインパルスに先立って前記記録素子に印加されるプレパルスと、を含む複数の駆動パルスであって、前記プレパルスのパルス幅が互いに異なる前記複数の駆動パルスを規定する第２の駆動パルステーブルを少なくとも含み、
前記第２の選択手段は、前記第１の選択手段によって前記第２の駆動パルステーブルが選択された場合、（ｉ）前記第２の取得手段によって取得された前記情報が示す温度が前記第１の温度である場合には前記第２の駆動パルステーブルを構成する前記複数の駆動パルスのうちの第３の駆動パルスを選択し、（ｉｉ）前記第２の取得手段によって取得された前記情報が示す温度が前記第２の温度である場合には前記第２の駆動パルステーブルを構成する前記複数の駆動パルスのうちの前記第３の駆動パルスよりもプレパルスのパルス幅が短い第４の駆動パルスを選択することを特徴とする請求項２に記載のインクジェット記録装置。
【請求項４】
前記第３の駆動パルスと前記第４の駆動パルスのプレパルスのパルス幅の差分は、前記第１の駆動パルスと前記第２の駆動パルスのプレパルスのパルス幅の差分よりも小さく、
前記第１の選択手段は、前記第１の取得手段によって取得された前記情報が示す記録素子の数が第１の数である場合には前記第１の駆動パルステーブルを選択し、前記第１の取得手段によって取得された前記情報が示す記録素子の数が前記第１の数より少ない第２の数である場合には前記第２の駆動パルステーブルを選択することを特徴とする請求項３に記載のインクジェット記録装置。
【請求項５】
前記複数の駆動パルステーブルは、駆動電圧が互いに異なる複数の駆動パルスから構成される第１の駆動パルステーブルを少なくとも含み、
前記第２の選択手段は、前記第１の選択手段によって前記第１の駆動パルステーブルが選択された場合、（ｉ）前記第２の取得手段によって取得された前記情報が示す温度が第１の温度である場合には前記第１の駆動パルステーブルを構成する前記複数の駆動パルスのうちの第１の駆動パルスを選択し、（ｉｉ）前記第２の取得手段によって取得された前記情報が示す温度が前記第１の温度よりも高い第２の温度である場合には前記第１の駆動パルステーブルを構成する前記複数の駆動パルスのうちの前記第１の駆動パルスよりも駆動電圧が低い第２の駆動パルスを選択することを特徴とする請求項１に記載のインクジェット記録装置。
【請求項６】
前記複数の駆動パルステーブルは、駆動電圧が互いに異なる複数の駆動パルスから構成される第２の駆動パルステーブルを少なくとも含み、
前記第２の選択手段は、前記第１の選択手段によって前記第２の駆動パルステーブルが選択された場合、（ｉ）前記第２の取得手段によって取得された前記情報が示す温度が前記１の温度である場合には前記第２の駆動パルステーブルを構成する前記複数の駆動パルスのうちの第３の駆動パルスを選択し、（ｉｉ）前記第２の取得手段によって取得された前記情報が示す温度が前記第２の温度である場合には前記第１の駆動パルステーブルを構成する前記複数の駆動パルスのうちの前記第３の駆動パルスよりも駆動電圧が低い第４の駆動パルスを選択することを特徴とする請求項５に記載のインクジェット記録装置。
【請求項７】
前記第３の駆動パルスと前記第４の駆動パルスの駆動電圧の差分は、前記第１の駆動パルスと前記第２の駆動パルスの駆動電圧の差分よりも小さく、
前記第１の選択手段は、前記第１の取得手段によって取得された前記情報が示す記録素子の数が第１の数である場合には前記第１の駆動パルステーブルを選択し、前記第１の取得手段によって取得された前記情報が示す記録素子の数が前記第１の数より少ない第２の数である場合には前記第２の駆動パルステーブルを選択することを特徴とする請求項６に記載のインクジェット記録装置。
【請求項８】
前記複数の駆動パルステーブルは、複数の駆動パルスを規定する第１の駆動パルステーブルを少なくとも含み、
前記第２の選択手段は、前記第１の選択手段によって前記第１の駆動パルステーブルが選択された場合、（ｉ）前記第２の取得手段によって取得された前記情報が示す温度が第１の温度である場合には前記第１の駆動パルステーブルを構成する前記複数の駆動パルスのうちの第１の駆動パルスを選択し、（ｉｉ）前記第２の取得手段によって取得された前記情報が示す温度が前記第１の温度よりも高い第２の温度である場合には前記第１の駆動パルステーブルを構成する前記複数の駆動パルスのうちの前記第１の駆動パルスと異なる第２の駆動パルスを選択し、
前記第２の取得手段によって取得された前記情報が示す温度が前記第１の温度である際に前記第１の駆動パルスが前記複数の記録素子に印加された場合におけるインクの目標吐出量は、前記第２の取得手段によって取得された前記情報が示す温度が前記第２の温度である際に前記第２の駆動パルスが前記複数の記録素子に印加された場合におけるインクの目標吐出量以下であることを特徴とする請求項１に記載のインクジェット記録装置。
【請求項９】
前記複数の駆動パルステーブルは、複数の駆動パルスを規定する第２の駆動パルステーブルを少なくとも含み、
前記第２の選択手段は、前記第１の選択手段によって前記第２の駆動パルステーブルが選択された場合、（ｉ）前記第２の取得手段によって取得された前記情報が示す温度が前記第１の温度である場合には前記第２の駆動パルステーブルを構成する前記複数の駆動パルスのうちの第３の駆動パルスを選択し、（ｉｉ）前記第２の取得手段によって取得された前記情報が示す温度が前記第２の温度である場合には前記第２の駆動パルステーブルを構成する前記複数の駆動パルスのうちの前記第３の駆動パルスと異なる第４の駆動パルスを選択し、
前記第２の取得手段によって取得された前記情報が示す温度が前記第１の温度である際に前記第３の駆動パルスが前記複数の記録素子に印加された場合におけるインクの目標吐出量は、前記第２の取得手段によって取得された前記情報が示す温度が前記第２の温度である際に前記第４の駆動パルスが前記複数の記録素子に印加された場合におけるインクの目標吐出量以下であることを特徴とする請求項８に記載のインクジェット記録装置。
【請求項１０】
前記第２の取得手段によって取得された前記情報が示す温度が前記第１の温度である際に前記第３の駆動パルスが前記複数の記録素子に印加された場合におけるインクの目標吐出量と、前記第２の取得手段によって取得された前記情報が示す温度が前記第２の温度である際に前記第４の駆動パルスが前記複数の記録素子に印加された場合におけるインクの目標吐出量と、の差分は、前記第２の取得手段によって取得された前記情報が示す温度が前記第１の温度である際に前記第１の駆動パルスが前記複数の記録素子に印加された場合におけるインクの目標吐出量と、前記第２の取得手段によって取得された前記情報が示す温度が前記第２の温度である際に前記第２の駆動パルスが前記複数の記録素子に印加された場合におけるインクの目標吐出量と、の差分よりも大きく、
前記第１の選択手段は、前記第１の取得手段によって取得された前記情報が示す記録素子の数が第１の数である場合には前記第１の駆動パルステーブルを選択し、前記第１の取得手段によって取得された前記情報が示す記録素子の数が前記第１の数より少ない第２の数である場合には前記第２の駆動パルステーブルを選択することを特徴とする請求項９に記載のインクジェット記録装置。
【請求項１１】
前記記録素子列内の前記複数の記録素子のうちの記録に使用する記録素子と、前記検出素子と、の間の前記所定方向における距離に関する情報を取得する第３の取得手段を更に有し、
前記第１の選択手段は、前記第１の取得手段によって取得された前記情報が示す記録素子の数と、前記第３の取得手段によって取得された前記情報が示す距離と、に基づいて、前記記憶手段によって記憶された前記複数の駆動パルステーブルの中から１つの駆動パルステーブルを選択することを特徴とする請求項４、７、１０のいずれか１項に記載のインクジェット記録装置。
【請求項１２】
前記第１の選択手段は、前記第３の取得手段によって取得された前記情報が示す距離が第１の距離である場合には前記第１の駆動パルステーブルを選択し、前記第３の取得手段によって取得された前記情報が示す距離が前記第１の距離よりも長い第２の距離である場合には前記第２の駆動パルステーブルを選択することを特徴とする請求項１１に記載のインクジェット記録装置。
【請求項１３】
前記記録素子列内の前記複数の記録素子のうちの互いに異なる数の記録素子を使用して記録を行う複数の記録モードの中から１つの記録モードを設定する設定手段と、を更に有し、
前記第１の取得手段は、前記設定手段によって設定された記録モードに基づいて、前記記録に使用する記録素子の数に関する情報を取得することを特徴とする請求項１から１２のいずれか１項に記載のインクジェット記録装置。
【請求項１４】
前記設定手段は、ユーザーの入力に基づいて前記複数の記録モードの中から１つの記録モードを設定することを特徴とする請求項１３に記載のインクジェット記録装置。
【請求項１５】
前記記録媒体上の記録を実行する記録領域の前記所定方向における位置に応じて記録に使用する記録素子の数を決定する決定手段と、
前記第１の取得手段は、前記記録領域の前記所定方向における位置に基づいて、前記記録に使用する記録素子の数に関する情報を取得することを特徴とする請求項１から１２のいずれか１項に記載のインクジェット記録装置。
【請求項１６】
前記決定手段は、前記記録領域が前記記録媒体上の前記所定方向における第１の位置にある場合には記録に使用する記録素子の数を第３の数に決定し、前記記録領域が前記第１の位置よりも前記記録媒体上の前記所定方向における中央部から遠い第２の位置にある場合には記録に使用する記録素子の数を前記第３の数よりも少ない第４の数に決定することを特徴とする請求項１５に記載のインクジェット記録装置。
【請求項１７】
前記記憶手段を更に有することを特徴とする請求項１から１６のいずれか１項に記載のインクジェット記録装置。
【請求項１８】
前記記録素子は、インクを吐出するための熱エネルギーを生成する熱エネルギー生成素子であることを特徴とする請求項１から１７のいずれか１項に記載のインクジェット記録装。
【請求項１９】
前記記録素子列および前記検出素子は、前記記録ヘッド内の１つの記録素子基板上に設けられていることを特徴とする請求項１から１８のいずれか１項に記載のインクジェット記録装置。
【請求項２０】
駆動パルスが印加されることによりインクを吐出するためのエネルギーを生成する複数の記録素子が所定方向に配列された記録素子列と、前記記録素子の近傍のインクの温度を検出するための検出素子と、を有する記録ヘッドを用いて記録媒体上に記録を行うインクジェット記録方法であって、
前記記録素子列内の前記複数の記録素子のうち、記録に使用する記録素子の数に関する情報を取得する第１の取得工程と、
前記第１の取得工程によって取得された前記情報が示す記録素子の数に基づいて、記憶工程に記憶されたそれぞれ駆動パルスと温度との対応関係が定められた複数の駆動パルステーブルの中から１つの駆動パルステーブルを選択する第１の選択工程と、
前記検出素子によって検出された温度に関する情報を取得する第２の取得工程と、
前記第２の取得工程によって取得された前記情報が示す温度に基づいて、前記第１の選択工程によって選択された前記駆動パルステーブルを構成する前記複数の駆動パルスの中から１つの駆動パルスを選択する第２の選択工程と、
前記第２の選択工程によって選択された前記駆動パルスを前記複数の記録素子に印加するように制御する制御工程と、を有することを特徴とするインクジェット記録方法。
【手続補正２】
【補正対象書類名】明細書
【補正対象項目名】発明の名称
【補正方法】変更
【補正の内容】
【発明の名称】インクジェット記録装置及びインクジェット記録方法
【手続補正３】
【補正対象書類名】明細書
【補正対象項目名】０００１
【補正方法】変更
【補正の内容】
【０００１】
本発明は、インクジェット記録装置及びインクジェット記録方法に関する。
【手続補正４】
【補正対象書類名】明細書
【補正対象項目名】００１１
【補正方法】変更
【補正の内容】
【００１１】
上記課題を解決するため、本発明の一態様は、駆動パルスが印加されることによりインクを吐出するためのエネルギーを生成する複数の記録素子が所定方向に配列された記録素子列と、前記記録素子の近傍のインクの温度を検出するための検出素子と、を有する記録ヘッドと、前記記録素子列内の前記複数の記録素子のうち、記録に使用する記録素子の数に関する情報を取得する第１の取得手段と、前記第１の取得手段によって取得された前記情報が示す記録素子の数に基づいて、記憶手段に記憶されたそれぞれ駆動パルスと温度との対応関係が定められた複数の駆動パルステーブルの中から１つの駆動パルステーブルを選択する第１の選択手段と、前記検出素子によって検出された温度に関する情報を取得する第２の取得手段と、前記第２の取得手段によって取得された前記情報が示す温度に基づいて、前記第１の選択手段によって選択された前記駆動パルステーブルを構成する前記複数の駆動パルスの中から１つの駆動パルスを選択する第２の選択手段と、前記第２の選択手段によって選択された前記駆動パルスを前記複数の記録素子に印加するように制御することにより、記録媒体上に記録を行う記録制御手段と、を有することを特徴とする。